(57)【要約】【課題】簡単な構成で、窓の周囲における多様な場所または対象に薬剤揮散容器を容易に吊下げることができる吊り下げ具を提供する。【解決手段】吊り下げ具１は、フック部１０と、カーテンレールＡに移動可能に支持されたランナーに掛けることが可能なランナー用フック部２０と、薬剤揮散容器Ｍの被吊り下げ部５０を掛けることが可能な吊り下げ部３０と、を有している。フック部１０は、開放部を有する環状に形成されたもので、開放部を構成する端部近傍を互いに異なる方向にそれぞれ鉤状に屈曲させて掛止部１２、１２が形成されている。フック部１０の上方には、径方向外側と内側とに屈曲させた段部１３が複数形成されている。  吊り下げ部３０は、薬剤揮散容器Ｍの孔またはひも状のループ等により構成された被吊り下げ部５０を掛けることが可能な鉤状に形成されている。【選択図】図３
2018102275.tif 000002
【特許請求の範囲】
【請求項１】
薬剤揮散容器をカーテンレール、カーテンレールのランナー、カーテンの少なくともいずれか一つに吊り下げ可能な吊り下げ具であって、
カーテンレールのランナーに掛けることができるランナー用フック部と、
前記ランナー用フック部の下方に形成され前記薬剤揮散容器の被吊り下げ部を掛けること可能な吊り下げ部と
を備えていることを特徴とする薬剤揮散容器の吊り下げ具。
【請求項２】
薬剤揮散容器をカーテンレール、カーテンレールのランナー、カーテンの少なくともいずれか一つに吊り下げ可能な吊り下げ具であって、
開放部を有する環状に形成され、弾性変形することによって、互いに掛止および解放可能な掛止部を側方に有するフック部と、
前記フック部の下方に形成され前記薬剤揮散容器の被吊り下げ部を掛けることが可能な吊り下げ部と
を備えていることを特徴とする薬剤揮散容器の吊り下げ具。
【請求項３】
薬剤揮散容器をカーテンレール、カーテンレールのランナー、カーテンの少なくともいずれか一つに吊り下げ可能な吊り下げ具であって、
開放部を有する環状に形成され、弾性変形することによって、互いに掛止および解放可能な掛止部を側方に有するフック部と、
前記フック部の下方に形成され前記薬剤揮散容器の被吊り下げ部を掛けることが可能な吊り下げ部と、
前記フック部の前記掛止部とは反対側の側方に形成されカーテンレールのランナーに掛けることが可能なランナー用フック部と
を備えていることを特徴とする薬剤揮散容器の吊り下げ具。
【請求項４】
前記ランナー用フック部と対向する部分が直線状に形成されていることを特徴とする請求項１または３のいずれかに記載の薬剤揮散容器の吊り下げ具。
【請求項５】
前記フック部の上方には、径方向外側と内側とに屈曲させた段部が少なくとも１ヶ所形成されていることを特徴とする請求項２または３のいずれかに記載の薬剤揮散容器の吊り下げ具。
【請求項６】
前記掛止部は、前記フック部の開放部を互いに異なる方向へ屈曲させることにより形成されていることを特徴とする請求項２、３、または５のいずれか１項に記載の薬剤揮散容器の吊り下げ具。
【発明の詳細な説明】
【技術分野】
【０００１】
本発明は、薬剤揮散容器の吊り下げ具に関し、特に、薬剤揮散容器をカーテンレール、カーテンレールのランナー、カーテンの少なくともいずれか一つに吊り下げ可能な吊り下げ具に関する。
【背景技術】
【０００２】
例えば、蚊、ブユ等の飛翔害虫を駆除及び忌避するために、特許文献１に開示されているように、常温揮散性の防虫剤を空気中に揮散させる薬剤揮散装置が知られている。そして、特許文献１には、薬剤揮散装置のフック部（被吊り下げ部）をカーテンレール等に引っ掛けたり、物干し竿に吊るして使用することにより、屋外から屋内へのこれら害虫の侵入を効果的に防ぐことが記載されている（段落０１０５）。
【先行技術文献】
【特許文献】
【０００３】
【特許文献１】特開２０１６−５４６５３号公報
【発明の概要】
【発明が解決しようとする課題】
【０００４】
ところで、上記害虫を屋外から屋内に侵入させないようにするためには、屋外と屋内との境界をなす窓の周囲など、多様な場所または対象に薬剤揮散容器を容易に吊下げることが望まれていた。
【０００５】
本発明は、上述した望みに鑑みてなされたもので、簡単な構成で、窓の周囲等、多様な場所または対象に薬剤揮散容器を容易に吊下げることを目的とする。
【課題を解決するための手段】
【０００６】
請求項１の薬剤揮散容器の吊り下げ具に係る発明は、上記目的を達成するため、薬剤揮散容器をカーテンレール、カーテンレールのランナー、カーテンの少なくともいずれか一つに吊り下げ可能な吊り下げ具であって、カーテンレールのランナーに掛けることができるランナー用フック部と、前記ランナー用フック部の下方に形成され前記薬剤揮散容器の被吊り下げ部を掛けること可能な吊り下げ部とを備えていることを特徴とする。
請求項２の薬剤揮散容器の吊り下げ具に係る発明は、上記目的を達成するため、薬剤揮散容器をカーテンレール、カーテンレールのランナー、カーテンの少なくともいずれか一つに吊り下げ可能な吊り下げ具であって、開放部を有する環状に形成され、弾性変形することによって、互いに掛止および解放可能な掛止部を側方に有するフック部と、前記フック部の下方に形成され前記薬剤揮散容器の被吊り下げ部を掛けることが可能な吊り下げ部とを備えていることを特徴とする。
請求項３の薬剤揮散容器の吊り下げ具に係る発明は、上記目的を達成するため、薬剤揮散容器をカーテンレール、カーテンレールのランナー、カーテンの少なくともいずれか一つに吊り下げ可能な吊り下げ具であって、開放部を有する環状に形成され、弾性変形することによって、互いに掛止および解放可能な掛止部を側方に有するフック部と、前記フック部の下方に形成され前記薬剤揮散容器の被吊り下げ部を掛けることが可能な吊り下げ部と、前記フック部の前記掛止部とは反対側の側方に形成されカーテンレールのランナーに掛けることが可能なランナー用フック部とを備えていることを特徴とする。
請求項４の薬剤揮散容器の吊り下げ具に係る発明は、上記目的を達成するため、請求項１または３のいずれかに記載の発明において、前記ランナー用フック部と対向する部分が直線状に形成されていることを特徴とする。
請求項５の薬剤揮散容器の吊り下げ具に係る発明は、上記目的を達成するため、請求項２または３のいずれかに記載の発明において、前記フック部の上方には、径方向外側と内側とに屈曲させた段部が少なくとも１ヶ所形成されていることを特徴とする。
請求項６の薬剤揮散容器の吊り下げ具に係る発明は、上記目的を達成するため、請求項２、３、または５のいずれか１項に記載の発明において、前記掛止部は、前記フック部の開放部を互いに異なる方向へ屈曲させることにより形成されていることを特徴とする。
【０００７】
請求項１の発明では、吊り下げ具のランナー用フック部をカーテンレールのランナーに掛けるとともに、吊り下げ部に薬剤揮散容器の被吊り下げ部を掛ける。薬剤揮散容器は、吊り下げ具を介してカーテンレールのランナーに吊り下げられる。
請求項２の発明では、吊り下げ具のフック部の開放部の掛止部を互いに解放し、弾性変形させてフック部の開放部を開きカーテンレールにフック部を掛けて必要に応じて再度掛止部を互いに掛止して環状とするとともに、吊り下げ部に薬剤揮散容器の被吊り下げ部を掛ける。薬剤揮散容器は、吊り下げ具を介してカーテンレールに吊り下げられる。また、請求項２の発明では、吊り下げ具のフック部の掛止部を互いに解放し、弾性変形させてフック部を開きカーテンの上縁にフック部を掛けるとともに、吊り下げ部に薬剤揮散容器の被吊り下げ部を掛けることもできる。この場合、薬剤揮散容器は、吊り下げ具を介してカーテンの上縁に吊り下げられる。
請求項３の発明では、吊り下げ具の被吊り下げ部に薬剤揮散容器の被吊り下げ部を掛けるとともに、ランナー用フック部をカーテンレールのランナーに掛けるか、または、吊り下げ具のフック部の開放部の掛止部を互いに解放し、弾性変形させてフック部の開放部を開きカーテンレールにフック部を掛けて必要に応じて再度掛止部を互いに掛止して環状とする、若しくは、弾性変形させてフック部の開放部を開きカーテンの上縁にフック部を掛ける。薬剤揮散容器の被吊り下げ部が吊り下げ部に掛けられた吊り下げ具は、カーテンレールのランナー、カーテンレール、またはカーテンのいずれかに吊り下げられる。
請求項４の発明では、請求項１または３のいずれかに記載の発明において、吊り下げ具の、直線状に形成されたランナー用フック部と対向する部分を把持して、ランナー用フック部をカーテンレールのランナーに掛ける。そして、ランナーの孔にランナー用フック部を挿通する際に、ランナー用フック部と対向する直線状の部分とランナーとが摺接し、吊り下げ具がランナーに案内されることで、吊り下げ具のランナー用フック部をカーテンレールの比較的小さいランナーに掛けるための作業が容易となる。
請求項５の発明では、請求項２または３のいずれかに記載の発明において、フック部の上方に、径方向外側と内側とに屈曲する段部が少なくとも１ヶ所形成されていることにより、吊り下げ具のフック部の掛止部を互いに解放してフック部を開く際に、フック部が容易に弾性変形する。また、吊り下げ具のフック部の掛止部を互いに解放してフック部を開いた状態でカーテンの上縁に掛けた際に、段部の径方向外側に屈曲する部分がカーテンの上縁に係合することとなり、吊り下げ具の姿勢が安定する。段部が複数設けられているような場合には、各段部において上記作用が得られるものとなる。
請求項６の発明では、請求項２、３、または５のいずれか１項に記載の発明において、フック部の開放部を互いに異なる方向へ屈曲させることにより、掛止部を容易に形成し得るものとなる。また、互いに異なる方向へと屈曲した部分が絡むようにして掛り合うことで、フック部は環状に保持される。一方、吊り下げ具のフック部の掛止部を互いに解放してフック部を開いた状態でカーテンの上縁に掛けた際に、フック部の端部を互いに異なる方向に屈曲させた掛止部がカーテンの上縁近傍の表面に接することとなり、吊り下げ具の姿勢が安定する。
【発明の効果】
【０００８】
本発明によれば、簡単な構成で、薬剤揮散容器を容易に窓の周囲等、多様な場所または対象に吊下げることができる。
【図面の簡単な説明】
【０００９】
【図１】本発明の薬剤揮散容器の吊り下げ具の実施の一形態を説明するために示した正面図である。
【図２】図１に示した吊り下げ具のフック部の掛止部を解放して開放部を開き、カーテンレールにフック部を掛ける状態を示した説明図である。
【図３】図２に示した状態から、カーテンレールにフック部を掛けて再度掛止部を互いに掛止して、吊り下げ部により薬剤揮散容器をカーテンレールに吊り下げた状態を示した斜視図である。
【図４】図１に示した吊り下げ具のランナー用フック部をカーテンレールのランナーに掛けた状態を示した説明図である。
【図５】図１に示した吊り下げ具のフック部の掛止部を解放して開放部を開き、カーテンの上縁に掛けた状態を示した斜視図である。
【図６】薬剤揮散容器が被吊り下げ部を有していない場合に、吊り下げ具の吊り下げ部に掛けられる吊り下げ孔が形成されたシート材を、薬剤揮散容器に貼付する様子を示した説明図である。
【発明を実施するための形態】
【００１０】
本発明の薬剤揮散容器の吊り下げ具１を、図１〜図６に示した実施の一形態に基づいて説明する。
なお、本発明はこの図１〜図６の内容に限定されるものではない。
【００１１】
吊り下げ具１は、フック部１０と、カーテンレールＡ（図２、図３参照）に移動可能に支持されたランナーＢ（図４参照）に掛けることが可能なランナー用フック部２０と、薬剤揮散容器Ｍ（図３参照）の被吊り下げ部５０を掛けることが可能な吊り下げ部３０と、を有している。
【００１２】
フック部１０は、その側方（図１、図２における右方）に開放部１１（図２のみに示した）を有する環状に形成されたもので、開放部１１を構成する端部近傍を互いに異なる方向にそれぞれ鉤状に屈曲させて掛止部１２、１２が形成されている。フック部１０の上方には、径方向外側と内側とに屈曲させた段部１３が複数形成されている。また、フック部１０の開放部１１と反対側の側方（図１、図２における左方）には、直線状の部分１４が形成されている。フック部１０は、掛止部１２、１２が掛止していない状態であっても互いに接しており、掛止部１２、１２の近傍を把持して強制的に離間させると、段部１３が弾性変形して開放部１１（図２参照）が開くよう形成されている。
【００１３】
ランナー用フック部２０は、フック部１０の側方の直線状の部分１４と対向するように形成されている。ランナー用フック部２０の断面の大きさや、直線状の部分１４に対する間隔は、カーテンＣに取り付けられランナーＢに吊り下げられる一般的なカーテンフック（図示は省略する）と同様とすることができる。なお、ランナー用フック部２０を掛けるカーテンレールＡのランナーＢには、カーテンレールＡに支持され移動するランナーＢ自体だけでなく、ランナーＢに取り付けられたリング等を含む場合もある。
【００１４】
吊り下げ部３０は、フック部１０の下方に配置されるもので、薬剤揮散容器Ｍの孔またはひも状のループ等により構成された被吊り下げ部５０を掛けることが可能な、鉤状に形成されている。
【００１５】
このように構成される吊り下げ具１は、特に材質を限定されることはないが、弾性変形可能な材料、例えば合成樹脂により成形することが出来る。合成樹脂としては、ポリエチレン、ポリプロピレン、ポリエチレンテレフタレート、ナイロンなど各種のものを用いることが出来るが、弾性等の観点から、ポリプロピレンがもっとも好ましい。
【００１６】
なお、薬剤揮散容器Ｍが被吊り下げ部５０を有していない場合には、図６に示すように、吊り下げ孔（被吊り下げ部）５０が形成された被吊り下げ部構成部材５を用意し、かかる被吊り下げ部構成部材５を薬剤揮散容器Ｍに取り付けるようにしてもよい。この場合、被吊り下げ部構成部材５に両面テープなどからなる接着部５１を設けておき、接着部５１の表面に仮貼付された保護シールを剥離させて、被吊り下げ部構成部材５を薬剤揮散容器Ｍに貼り付ける。さらに、被吊り下げ部構成部材５には、薬剤揮散容器Ｍを開封して窓周辺に吊り下げ設置した日付、または、薬剤揮散容器Ｍを開封して窓周辺に吊り下げ設置した日から起算して取り替え時期の目安となる日付を記入する欄を設けることができる。
【００１７】
次に、吊り下げ具１の使用形態を説明する。図３に示すように、カーテンレールＡに吊り下げ具１を吊り下げる場合には、図１に示したように互いに掛止された掛止部１２、１２を解放し、掛止部１２、１２の近傍を把持して強制的に離間させて開放部１１を開き、図２に矢印で示したように開放部１１をカーテンレールＡに対向させて通し、フック部１０を掛ける。そして、図１に示されるように、再び掛止部１２、１２を互いに掛止すると、図３に示したように、カーテンレールＡに吊り下げ具１を吊り下げることができる。掛止部１２、１２を互いに掛止していることにより、フック部１０が開放していない環状となるため、吊り下げ具１がカーテンレールＡから外れて落下することがない。なお、薬剤揮散容器Ｍを吊り下げ部３０に吊り下げるのは、カーテンレールＡに吊り下げ具１を吊り下げる前でも、吊り下げた後でもよい。なお、薬剤揮散容器を吊り下げるカーテンレールＡには、カーテンレールＡ自体だけでなく、カーテンレールＡを窓の上部に取り付けるブラケットを含むことができる。
【００１８】
次に、吊り下げ具１をカーテンレールＡのランナーＢに吊り下げる場合を図４に基づいて説明する。この使用形態では、フック部１０の掛止部１２、１２を互いに掛止して、フック部１０が開放していない環状となっている。この状態で、直線状の部分１４を把持してカーテンレールＡの適当なランナーＢにランナー用フック部を掛けて吊り下げる。なお、薬剤揮散容器Ｍを吊り下げ部３０に吊り下げるのは、上述したカーテンレールＡに吊り下げ具１を吊り下げる使用形態（図３）と同様に、ランナーＢに吊り下げる前でも、吊り下げた後でもよい。
【００１９】
次に、吊り下げ具１をカーテンＣに吊り下げる場合を図５に基づいて説明する。この使用形態では、図１に示したように互い掛止された掛止部１２、１２を解放し、掛止部１２、１２の近傍を把持して強制的に離間させて開放部１１を開き、開放部１１（図２を参照）をカーテンＣの上縁に通してフック部１０を掛ける。フック部１０、特に段部１３の弾性復帰力により、掛止部１２、１２がカーテンＣを挟み込むようにしてその表面と裏面とにそれぞれ接する。掛止部１２、１２が互い異なる方向に屈曲されているため、吊り下げ具１は、安定してカーテンＣに吊り下げられることとなる。また、フック部１０の上方に形成された段部１３の一つにカーテンＣの上縁が係合されることにより、吊り下げ具１の姿勢が安定する。なお、薬剤揮散容器Ｍを吊り下げ部３０に吊り下げるのは、上述したカーテンレールＡまたはランナーＢに吊り下げ具１を吊り下げる使用形態と同様に、ランナーＢに吊り下げる前でも、吊り下げた後でもよい。
また、吊り下げ具１をカーテンＣに吊り下げる場合には、図５に示した実施の形態に限定されることはなく、ランナー用フック部２０をカーテンＣの上縁に掛けることもできる。
【００２０】
なお、本発明の吊り下げ具は、上述した実施の形態に限定されることはない。例えば、フック部１０を環状に形成することなく、ランナー用フック部２０の下方に吊り下げ部３０のみを形成して、カーテンレールＡのランナーＢに吊り下げるためのものとすることができ、また、ランナー用フック部２０を有することなく、フック部１０の下方に吊り下げ部３０を形成して、カーテンレールＡまたはカーテンＣに吊り下げるためのものとすることができる。
【００２１】
そして、吊り下げ具１は、図に示した形状に限定されることはなく、フック部１０、ランナー用フック部２０、および吊り下げ部３０の形状をそれぞれ適宜変更することができる。
【００２２】
また、本発明の吊り下げ具のフック部は、カーテンレールだけでなく、例えばベランダの柵や物干し竿、ドアのノブなど、多様な場所または対象に掛けることができる。
【００２３】
さらに、本発明の吊り下げ具により吊り下げられる薬剤揮散容器その内部に保有する薬剤は、飛翔害虫を駆除及び忌避するものだけでなく、芳香剤や消臭剤などとすることもできる。
【符号の説明】
【００２４】
１：吊り下げ具、  １０：フック部、  １１：開放部、  １２：掛止部、  １３：段部、  １４：ランナー用フック部と対向する直線状の部分、  ２０ランナー用フック部分、  ３０：吊り下げ部、  Ｍ：薬剤揮散容器、Ａ：カーテンレール、  Ｂ：カーテンレールのランナー、  Ｃ：カーテン
【図１】
2018102275.tif 000003
【図２】
2018102275.tif 000004
【図３】
2018102275.tif 000005
【図４】
2018102275.tif 000006
【図５】
2018102275.tif 000007
【図６】
2018102275.tif 000008